(57)【特許請求の範囲】
【請求項１】
構成部材に対して各種部品が組み付けられる遊技機製造ラインに設けられる脱落部品検出装置であって、
前記遊技機製造ラインより下方に配設され、上方に開口する落下物受容器と、
前記落下物受容器内を該落下物受容器の内底面に沿って原点位置から規制壁に向けて移動することで、該落下物受容器内の部品を規制壁に寄せる移動部材と、
前記移動部材を移動する駆動手段と、
前記移動部材が前記規制壁に寄った検出位置に位置することを検出する検出手段と、
前記移動部材が検出位置に移動しているべき条件が成立した際に、前記検出手段が非検出の場合に部品の有りを判定する判定手段とを備えた
ことを特徴とする遊技機製造ラインの脱落部品検出装置。
【請求項２】
前記検出手段は、前記移動部材の移動方向と交差する方向に離間して一対設けられ、
前記判定手段は、前記一対の検出手段が何れも検出状態となった場合に、前記移動部材が検出位置に位置していると判定するよう設定される請求項１記載の遊技機製造ラインの脱落部品検出装置。
【請求項３】
前記落下物受容器は、前記遊技機製造ラインに設けた組立てステーションの下方に配設され、
前記組立てステーションから構成部材を移動させた後に前記駆動手段を駆動すると共に、次の構成部材が当該組立てステーションに供給される前に前記判定手段が部品の有無を判定するよう構成された請求項１または２記載の遊技機製造ラインの脱落部品検出装置。
【請求項４】
前記移動部材の上面は、上側に凸となる円弧状に形成される請求項１〜３の何れか一項に記載の遊技機製造ラインの脱落部品検出装置。
【発明の詳細な説明】
【技術分野】
【０００１】
この発明は、遊技機製造ラインに設けられる脱落部品検出装置に関するものである。
【背景技術】
【０００２】
代表的な遊技機であるパチンコ機は、外枠、中枠、遊技盤および前枠等の主要構成部材(構成部材)を相互に組み付けると共に、これら中枠、前枠および遊技盤等の主要構成部材に、各種制御装置や可動演出装置および発光演出装置等の多数の部品を組み付けて構成される。このように複数の部材や部品から構成されるパチンコ機の製造ラインでは、複数の組付け工程を効率的に行なうため、複数の組立てステーションをローラコンベヤ等の搬送手段で連結し、主要構成部材を搬送手段で複数の組立てステーションに順次供給し、各組立てステーションにおいて多数の部品を自動組付機によって自動で組み付けたり、または作業者の手作業によって組み付けるよう構成されている(例えば、特許文献１参照)。
【先行技術文献】
【特許文献】
【０００３】
【特許文献１】特開２００２−３６０７４号公報
【発明の概要】
【発明が解決しようとする課題】
【０００４】
前記組立てステーションにおいて主要構成部材に部品を組み付けるに際し、主要構成部材に対する部品の固定や係合が不充分であると、該部品が主要構成部材から脱落してしまうことがある。また、パチンコ機では、基板ケースを封印する封印シールや機種情報等を表示した情報シール等の貼付物(部品)を貼付することが行なわれており、これら貼付物の貼着力が弱い場合は、該貼付物が主要構成部材から脱落することもあった。そして、一部の部品が脱落した主要構成部材が次の組立てステーションに搬送されて別の部品が組み付けられてしまうと、部品が脱落したのか否かが確認できなくなってしまい、最終的に不良品が出荷されてしまう事態を招くおそれがあり、部品が脱落したか否かを検出することができる装置が希求されていた。
【０００５】
すなわち本発明は、遊技機製造ラインにおいて構成部材から部品が脱落したことを検出することができる遊技機製造ラインの脱落部品検出装置を提供することを目的とする。
【課題を解決するための手段】
【０００６】
前記課題を克服し、所期の目的を達成するため、本願の請求項１に係る発明は、
構成部材(16)に対して各種部品(18)が組み付けられる遊技機製造ライン(10)に設けられる脱落部品検出装置であって、
前記遊技機製造ライン(10)より下方に配設され、上方に開口する落下物受容器(22)と、
前記落下物受容器(22)内を該落下物受容器(22)の内底面に沿って原点位置から規制壁(34a,36a)に向けて移動することで、該落下物受容器(22)内の部品(18)を規制壁(34a,36a)に寄せる移動部材(24)と、
前記移動部材(24)を移動する駆動手段(26)と、
前記移動部材(24)が前記規制壁(34a,36a)に寄った検出位置に位置することを検出する検出手段(28,30)と、
前記移動部材(24)が検出位置に移動しているべき条件が成立した際に、前記検出手段(28,30)が非検出の場合に部品(18)の有りを判定する判定手段(64)とを備えたことを要旨とする。
【０００７】
請求項１の発明によれば、構成部材から部品が脱落したことを簡単な構成で検出することができる。
【０００８】
請求項２に係る発明では、前記検出手段(28,30)は、前記移動部材(24)の移動方向と交差する方向に離間して一対設けられ、
前記判定手段(64)は、前記一対の検出手段(28,28／30,30)が何れも検出状態となった場合に、前記移動部材(24)が検出位置に位置していると判定するよう設定されることを要旨とする。
請求項２の発明によれば、落下物受容器に受容された部品が、移動部材における移動方向と交差する一方に偏った位置に当接することで該移動部材が移動方向と交差する方向で傾いた場合であっても、該部品の存在を確実に検出することができる。
【０００９】
請求項３に係る発明では、前記落下物受容器(22)は、前記遊技機製造ライン(10)に設けた組立てステーション(S)の下方に配設され、
前記組立てステーション(S)から構成部材(16)を移動させた後に前記駆動手段(26)を駆動すると共に、次の構成部材(16)が当該組立てステーション(S)に供給される前に前記判定手段(64)が部品(18)の有無を判定するよう構成されたことを要旨とする。
請求項３の発明によれば、部品が脱落した構成部材を特定し得る。
【００１０】
請求項４に係る発明では、前記移動部材(24)の上面は、上側に凸となる円弧状に形成されることを要旨とする。
請求項４の発明によれば、構成部材から脱落した部品が移動部材の上面に載ってしまうのを防止し、該部品を落下物収容器内に確実に受容して検出することができる。
【発明の効果】
【００１１】
本発明に係る遊技機製造ラインの脱落部品検出装置によれば、構成部材からの部品の脱落を検出することができる。
【図面の簡単な説明】
【００１２】
【図１】本発明の好適な実施例に係る遊技機製造ラインの脱落部品検出装置を示す概略斜視図である。
【図２】実施例に係る脱落部品検出装置を示す概略平面図である。
【図３】実施例に係る脱落部品検出装置を示す概略側面図である。
【図４】図２のＡ−Ａ線で示す概略断面図である。
【図５】組立てステーションの下方に脱落部品検出装置を配設した状態を示す概略側面図である。
【図６】実施例に係る脱落部品検出装置の制御ブロック図である。
【図７】実施例に係る脱落部品検出装置の動作を示す説明図であって、(ａ)は移動部材が第１検出位置から第２検出位置へ移動した際に部品を検出しない状態を示し、(ｂ),(ｃ)は移動部材の第１検出位置から第２検出位置への移動によって部品を検出する状態を示し、(ｄ)は移動部材が第２検出位置から第１検出位置へ移動した際に部品を検出しない状態を示し、(ｅ),(ｆ)は移動部材の第２検出位置から第１検出位置への移動によって部品を検出する状態を示す。
【図８】実施例に係る脱落部品検出装置によって実行される脱落部品検出処理のフローチャートである。
【図９】図８のステップＳ１１に続くフローチャートである。
【発明を実施するための形態】
【００１３】
次に、本発明に係る遊技機製造ラインの脱落部品検出装置につき、好適な実施例を挙げて、添付図面を参照しながら以下詳細に説明する。実施例では、遊技機として、パチンコ球(遊技球)を用いて遊技を行なうパチンコ機を例に挙げて説明する。
【実施例】
【００１４】
図１は、実施例に係る遊技機製造ライン１０の脱落部品検出装置１２を示す概略斜視図であり、図５は、該脱落部品検出装置１２を遊技機製造ライン１０を構成する搬送コンベヤ１４の下方に配設した状態を示す概略図である。遊技機製造ライン１０は、パチンコ機を構成する主要構成部材(構成部材)１６を搬送する搬送手段としての搬送コンベヤ１４を所要のレイアウトで配置して構成され、搬送コンベヤ１４上には、主要構成部材１６に対して各種の部品１８を組み付けるための組立てステーションＳが設定される。そして、遊技機製造ライン１０では、主要構成部材１６を搬送コンベヤ１４で組立てステーションＳに搬送して停止し、該組立てステーションＳで部品１８の組み付けが完了した主要構成部材１６を搬送コンベヤ１４で下流側に搬送するよう構成される。ここで、パチンコ機を構成する主要構成部材１６とは、中枠や前枠あるいは遊技盤に対して各種の部品１８を組み付ける場合には、中枠や前枠あるいは遊技盤の単体が主要構成部材１６となり、また中枠に前枠を組み付けた状態で、更にこれら中枠や前枠に対して各種の部品１８を組み付ける場合には、中枠に前枠を組み付けた状態の部材が主要構成部材１６となり、更に中枠に前枠および遊技盤を組み付けた状態で、更にこれら中枠、前枠および遊技盤に対して各種の部品１８を組み付ける場合には、中枠に前枠および遊技盤を組み付けた状態の部材が主要構成部材１６となる。すなわち、主要構成部材１６とは、パチンコ機を製造するに際し、各種の部品１８を組み付ける基体となる部材を指称するものである。また、部品１８とは、主要構成部材１６に対して組み付けられる装飾体、可動体、ランプレンズ等の遊技部品自体のみならず、これら遊技部品を主要構成部材１６に対して固定するためのネジ等の固定手段および基板ケースを封印する封印シールや機種情報等を表示した情報シール等の貼付物も含むものである。
【００１５】
前記搬送コンベヤ１４は、図５に示す如く、主要構成部材１６の搬送方向に離間した複数のローラ１４ａを回転可能に備えたローラコンベヤであって、主要構成部材１６を起立姿勢で載置搬送するよう構成される。この搬送コンベヤ１４の上方には、該コンベヤ１４に載置した主要構成部材１６の上端部を支持する複数の支持ローラ(図示せず)が、搬送方向に離間して並設され、搬送コンベヤ１４のローラ１４ａ上に載置された主要構成部材１６は、上端が支持ローラで支持された状態で、該搬送コンベヤ１４によって下流側へ搬送されるよう構成してある。なお、組立てステーションＳには、搬送コンベヤ１４で搬送される主要構成部材１６を検知可能な検知手段(図示せず)が設けられ、該検知手段が主要構成部材１６を検知したときに搬送コンベヤ１４を停止することで、主要構成部材１６を組立てステーションＳに停止し得るよう構成される。また、組立てステーションＳには、主要構成部材１６が組立てステーションＳから下流側に移動(搬出)したことを検出する搬出センサ２０(図６参照)が配設され、該搬出センサ２０は、後述する制御手段５８に電気的に接続されている。
【００１６】
前記搬送コンベヤ１４を挟んで組立てステーションＳ(遊技機製造ライン１０)の下方に、図５に示す如く、該組立てステーションＳで各種の部品１８の組み付けが行なわれる際に脱落した部品１８を受容して検出可能な脱落部品検出装置１２が配設されている。この脱落部品検出装置１２は、図１または図３に示す如く、上方に開口する矩形状の落下物受容器２２と、該落下物受容器２２の内部を移動する移動部材２４と、該移動部材２４を往復移動する駆動手段としての駆動モータ２６と、該駆動モータ２６により移動される移動部材２４が第１検出位置に位置することを検出可能な第１検出スイッチ(第１検出手段)２８,２８と、該駆動モータ２６により移動される移動部材２４が第２検出位置に位置することを検出可能な第２検出スイッチ(第２検出手段)３０,３０とを基本的に備える。
【００１７】
前記落下物受容器２２は、図１および図２に示す如く、矩形状の底板３２の周縁から４枚の板３４,３６,３８,３８を所定長さで立上げて構成された箱状の容器であって、該落下物受容器２２の上部開口寸法は、前記組立てステーションＳの全体を収容可能な大きさに設定されて、該組立てステーションＳに位置する主要構成部材１６から脱落した部品１８を該容器２２内に受け入れ得るよう構成される。実施例では、落下物受容器２２における移動部材２４の移動方向で対向する板３４,３６を、第１板３４および第２板３６と指称すると共に、移動部材２４の移動方向と交差する左右方向で対向する板３８,３８を側板３８,３８と指称するものとする。なお、落下物受容器２２の内底面(底板３２の上面)に、主要構成部材１６から脱落した部品１８が跳ねるのを抑制する緩衝材を貼着したり、または落下物受容器２２自体を、緩衝材によって形成するのが好適である。
【００１８】
前記移動部材２４は、図１および図４に示す如く、前記落下物受容器２２の内部において当該移動部材２４の移動方向と交差する左右方向で対向する一対の側板３８,３８の容器内に臨む内壁３８ａ,３８ａの間に亘って延在する矩形板状の部材であって、該移動部材２４は、前記駆動モータ２６の回転駆動によって、底板３２の内底面に沿って該移動部材２４の移動方向に対向する第１板３４および第２板３６の容器内に臨む第１内壁３４ａおよび第２内壁３６ａ間を往復移動するよう構成される。また、移動部材２４における左右の端面および下端面と対応する内壁３８ａ,３８ａおよび内底面との間には、該移動部材２４のスムーズな移動を許容する隙間が画成されている。この隙間は、当該組立てステーションＳで主要構成部材１６に組み付けられる最小の部品１８の寸法より小さく設定され、落下物受容器２２内に受け入れられた部品１８は、移動部材２４の移動によって第１内壁３４ａまたは第２内壁３６ａに寄せられるよう構成してある。
【００１９】
前記移動部材２４は、落下物受容器２２の上方に臨む支持部４０を備え、該支持部４０の長手方向両端部は、図２および図４に示す如く、落下物受容器２２における左右の側板３８,３８から外方に延出している。この支持部４０における長手方向の各端部には、下方に向けて垂設された脚部４２が夫々設けられ、該脚部４２の下端に台車部４４が設けられている。この台車部４４には、複数(実施例では２個)の車輪４４ａが回転自在に配設され、該車輪４４ａが、後述するガイドレール４６に転動自在に支持されるよう構成される。また、支持部４０の上面は、図３に示す如く、上側に凸となる円弧状(実施例では厚み方向の断面で円弧状)に形成されて、組立てステーションＳの主要構成部材１６から脱落した部品１８が、当該支持部４０の上面に載った状態となるのを防止し得るよう構成される。
【００２０】
前記落下物受容器２２を挟む左右両外側方に、移動部材２４の移動方向に延在する一対のガイドレール４６,４６が平行に配設され、各ガイドレール４６に、図４に示す如く、上方に開口するガイド溝４６ａが移動部材２４の移動方向に延在するように形成される。前記移動部材２４における各台車部４４の車輪４４ａは、図４に示す如く、対応するガイドレール４６のガイド溝４６ａ内に転動自在に支持されている。また、両台車部４４,４４は、前記駆動モータ２６に連結した作動機構４８に連繋されており、駆動モータ２６によって作動機構４８を作動することで、一対の台車部４４,４４が対応するガイドレール４６,４６に沿って移動し得るよう構成される。前記作動機構４８は、図３に示す如く、各ガイドレール４６を挟んで前後方向に離間する一対のプーリ(回転体)５０,５０と、両プーリ５０,５０間に巻掛けられた無端ベルト(索体)５２とから構成され、各無端べルト５２が対応する台車部４４に連結されている。また、左右方向に対向するプーリ５０,５０は回転軸５４によって連結されて一体的に回転するよう構成されており、一方の回転軸５４に連結した駆動モータ２６でプーリ５０,５０を正転方向および逆転方向に回転駆動することで、無端ベルト５２,５２を介して台車部４４,４４がガイドレール４６,４６に沿って移動し、移動部材２４が第１板３４の第１内壁３４ａに寄った第１検出位置と第２板３６の第２内壁３６ａに寄った第２検出位置との間を往復移動するよう構成される。
【００２１】
前記落下物受容器２２における第１板３４の外面には、左右方向に離間して一対の第１保持部材５６が配設され、各第１保持部材５６には、制御手段５８に接続する前記第１検出スイッチ２８が配設されている。この第１検出スイッチ２８としては機械式のリミットスイッチが採用され、該第１検出スイッチ２８は、前記移動部材２４が第１内壁３４ａに寄った第１検出位置に位置した状態で、前記台車部４４の端部(一方の端部)を検出可能な位置に位置決めされている(図７(ａ),(ｂ)参照)。なお、移動部材２４が第１内壁３４ａに寄った第１検出位置は、遊技機製造ライン１０において、主要構成部材１６に対して組み付けられる部品１８のサイズに応じて設定されるものであって、第１内壁３４ａと移動部材２４との間に部品１８が挟まれた状態(図７(ｆ)参照)では、第１検出スイッチ２８が台車部４４の端部を検出できず、かつ第１内壁３４ａと移動部材２４との間に部品１８が挟まれていない状態(図７(ａ),(ｂ)参照)では、第１検出スイッチ２８が台車部４４の端部を検出(ＯＮ)し得るものであればよく、第１内壁３４ａに移動部材２４が当接している状態に限定されるものではない。
【００２２】
前記落下物受容器２２における第２板３６の外面には、左右方向に離間して一対の第２保持部材６０,６０が配設され、各第２保持部材６０には、制御手段５８に接続する前記第２検出スイッチ３０が配設されている。この第２検出スイッチ３０としては機械式のリミットスイッチが採用され、該第２検出スイッチ３０は、前記移動部材２４が第２内壁３６ａに寄った第２検出位置に位置した状態で、前記台車部４４の端部(他方の端部)を検出可能な位置に位置決めされている。なお、移動部材２４が第２内壁３６ａに寄った第２検出位置は、前記第１検出位置と同様に、第２内壁３６ａと移動部材２４との間に部品１８が挟まれた状態(図７(ｃ)参照)では、第２検出スイッチ３０が台車部４４の端部を検出できず、かつ第２内壁３６ａと移動部材２４との間に部品１８が挟まれていない状態(図７(ｄ),(ｅ)参照)では、第２検出スイッチ３０が台車部４４の端部を検出(ＯＮ)し得るものであればよく、第２内壁３６ａに移動部材２４が当接している状態に限定されるものではない。そして実施例では、移動部材２４が第１検出位置から第２検出位置に向けて移動する場合は、該第１検出位置が原点位置になると共に第２内壁３６ａが規制壁となり、移動部材２４が第２検出位置から第１検出位置に向けて移動する場合は、該第２検出位置が原点位置になると共に第１内壁３４ａが規制壁となる。
【００２３】
前記脱落部品検出装置１２を制御する制御手段５８には、図６に示す如く、前記駆動モータ２６が接続されると共に、前記第１検出スイッチ２８,２８、第２検出スイッチ３０,３０および搬出センサ２０が電気的に接続されている。また、制御手段５８には、ランプやブザー等の警報手段６２が電気的に接続されており、該制御手段５８は、第１検出スイッチ２８,２８および第２検出スイッチ３０,３０の検出または非検出の状態に応じて、前記駆動モータ２６および警報手段６２を制御するよう構成される。更に、制御手段５８は、前記第１検出スイッチ２８および第２検出スイッチ３０の検出または非検出の状態によって、脱落部品の有無を判定する判定部(判定手段)６４および駆動モータ２６の駆動によって移動部材２４が移動を開始した時点からの時間を計測するタイマ６６を備えている。そして、制御手段５８は、前記搬出センサ２０からの信号に基づいて組立てステーションＳから主要構成部材１６が搬出されたことを確認した後に、前記駆動モータ２６を駆動制御して移動部材２４を移動することで、次の主要構成部材１６が当該組立てステーションＳに到来する前に脱落部品の有無を判定し得るよう構成される。
【００２４】
前記判定部６４は、一対の第１検出スイッチ２８,２８が何れも検出状態(ＯＮ状態)となることで、移動部材２４が第１検出位置に位置していると判定するよう設定されると共に、一対の第２検出スイッチ３０,３０が何れも検出状態(ＯＮ状態)となることで、移動部材２４が第２検出位置に位置していると判定するよう設定される。また、制御手段５８は、各種データを記憶する記憶部(図示せず)を備え、該記憶部に、駆動モータ２６により移動する移動部材２４の移動速度と、第１検出位置と第２検出位置との離間距離とから算出された第１検出位置と第２検出位置との間を移動部材２４が移動するのに要する設定時間が記憶されている。そして、実施例では、第１検出位置と第２検出位置との間を移動部材２４が移動するのに要する設定時間が、移動部材２４が原点位置から検出位置に移動しているべき条件とされる。なお、この設定時間は、駆動モータ２６の反応速度や台車部４４,４４の移動抵抗等を考慮して、第１検出位置と第２検出位置との間を移動部材２４が移動するのに要する計算上の時間より長く設定してある。また、実施例では、移動部材２４が第１検出位置から第２検出位置まで移動するのに要する設定時間に関して第１設定時間(第１の条件)と指称すると共に、移動部材２４が第２検出位置から第１検出位置まで移動するのに要する設定時間に関して第２設定時間(第２の条件)と指称して区別するものとする。
【００２５】
〔実施例の作用〕
次に、前述した実施例に係る遊技機製造ライン１０の脱落部品検出装置１２の作用につき説明する。
【００２６】
前記搬送コンベヤ１４により搬送される主要構成部材１６が組立てステーションＳに到来したことを検知手段が検知すると、搬送コンベヤ１４が停止して主要構成部材１６は、組立てステーションＳに位置決め停止される。この状態で、自動組付機または作業者によって、主要構成部材１６に対して各種の部品１８が組み付けられる。当該組立てステーションＳでの部品１８の組み付けが完了すると、搬送コンベヤ１４が始動して主要構成部材１６が組立てステーションＳから下流側に搬出される。なお、搬送コンベヤ１４は、例えば自動組付機から出力された完了信号、または作業者が完了スイッチを押下することにより出力される完了信号の入力によって始動するよう構成される。
【００２７】
前記組立てステーションＳでの主要構成部材１６に対する部品１８の組み付けの際や、組立てステーションＳから主要構成部材１６が搬出される際に、該主要構成部材１６に対する部品１８の固定、係合または貼着が不充分であった場合は、該部品１８が主要構成部材１６から脱落する場合がある。この脱落した部品１８は、前記搬送コンベヤ１４におけるローラ１４ａ,１４ａ間の隙間あるいは該コンベヤ１４の外側方から下方に落下し、前記落下物受容器２２に受け入れられる。そして、脱落部品検出装置１２では、落下物受容器２２の内部で移動部材２４を移動することで、主要構成部材１６から部品１８が脱落したか否かを判定することができる。
【００２８】
次に、脱落部品検出装置１２によって実行される脱落部品検出処理について、図８および図９のフローチャートを参照して説明する。
【００２９】
図８のステップＳ１において、前記搬出センサ２０によって組立てステーションＳから主要構成部材１６が搬出されたか否かを判定し、肯定(ＹＥＳ)の場合は、ステップＳ２に移行して一対の第１検出スイッチ２８,２８が何れも検出状態(ＯＮ状態)であるか否かを判定し、肯定(ＹＥＳ)の場合は、ステップＳ３に移行する。すなわち、一対の第１検出スイッチ２８,２８が何れも検出状態であれば、図７(ａ),(ｂ)において実線で示す如く、前記移動部材２４は第１検出位置に位置しているので、制御手段５８は前記駆動モータ２６を正転方向に駆動制御し、これにより移動部材２４は第２検出位置に向けて前進移動する。またステップＳ４で、移動部材２４が移動を開始(駆動モータ２６の正転開始)すると同時にタイマ６６による計測を開始する。
【００３０】
ステップＳ５で一対の第２検出スイッチ３０,３０が何れも検出状態(ＯＮ状態)であるか否かを判定部６４で判定し、肯定(ＹＥＳ)の場合は、ステップＳ６でタイマ６６をリセットしてから駆動モータ２６を停止(ステップＳ７)して処理を終了する。すなわち、一対の第２検出スイッチ３０,３０が何れも検出状態となっていれば、図７(ｄ),(ｅ)において実線で示す如く、移動部材２４は第２検出位置に適正な姿勢で位置しており、判定部６４は落下物受容器２２に部品１８が受容されていないと判定する。
【００３１】
これに対し、前記ステップＳ５が否定(ＮＯ)された場合は、ステップＳ８で、予め設定された第１設定時間が経過したか否かを判定し、否定(ＮＯ)の場合はステップＳ５に戻るフローを繰り返す。そして、一対の第２検出スイッチ３０,３０が何れも検出状態(ＯＮ状態)となることなくステップＳ８で肯定(ＹＥＳ)された場合は、前記判定部６４は落下物受容器２２に部品１８が受容されていると判定する(ステップＳ９)。すなわち、図７(ｂ),(ｃ)に示す如く、落下物受容器２２に部品１８が受容されている場合は、第１検出位置から第２検出位置に移動する移動部材２４により部品１８が第２内壁３６ａに寄せられ、該第２内壁３６ａと移動部材２４との間に部品１８が挟まることで、該移動部材２４は第１設定時間を経過しても第２検出位置まで移動することができず、第２検出スイッチ３０,３０は台車部４４の端部を検出することができない状態(非検出状態)となる。従って、この場合はステップＳ１０において、前記制御手段５８は警報手段６２を作動し、脱落部品有りを報知すると共に、タイマ６６をリセットしてから駆動モータ２６を停止して処理を終了する。
【００３２】
前記ステップＳ２が否定(ＮＯ)された場合は、ステップＳ１１に移行して一対の第２検出スイッチ３０,３０が何れも検出状態(ＯＮ状態)であるか否かを判定し、肯定(ＹＥＳ)の場合は、ステップＳ１２に移行する。すなわち、一対の第２検出スイッチ３０,３０が何れも検出状態であれば、図７(ｄ),(ｅ)において実線で示す如く、前記移動部材２４は第２検出位置に位置しているので、制御手段５８は前記駆動モータ２６を逆転方向に駆動制御することで、移動部材２４は第１検出位置に向けて前進移動する。また、ステップＳ１３で、移動部材２４が移動を開始(駆動モータ２６の逆転開始)すると同時にタイマ６６による計測を開始する。
【００３３】
ステップＳ１４で、一対の第１検出スイッチ２８,２８が何れも検出状態(ＯＮ状態)であるか否かを判定部６４で判定し、肯定(ＹＥＳ)の場合は、ステップＳ６でタイマ６６をリセットしてから駆動モータ２６を停止(ステップＳ７)して処理を終了する。すなわち、一対の第１検出スイッチ２８,２８が何れも検出状態となっていれば、図７(ａ),(ｂ)において実線で示す如く、移動部材２４は第１検出位置に適正な姿勢で位置しており、判定部６４は落下物受容器２２に部品１８が受容されていないと判定する。
【００３４】
これに対し、前記ステップＳ１４が否定(ＮＯ)された場合は、ステップＳ１５で、予め設定された第２設定時間が経過したか否かを判定し、否定(ＮＯ)の場合はステップＳ１４に戻るフローを繰り返す。そして、一対の第１検出スイッチ２８,２８が何れも検出状態(ＯＮ状態)となることなくステップＳ１５で肯定(ＹＥＳ)された場合は、前記判定部６４は落下物受容器２２に部品１８が受容されていると判定する(ステップＳ９)。すなわち、図７(ｅ),(ｆ)に示す如く、落下物受容器２２に部品１８が受容されている場合は、第２検出位置から第１検出位置に移動する移動部材２４により部品１８が第１内壁３４ａに寄せられ、該第１内壁３４ａと移動部材２４との間に部品１８が挟まることで、該移動部材２４は第２設定時間を経過しても第１検出位置まで移動することができず、第１検出スイッチ２８,２８は台車部４４の端部を検出することができない状態(非検出状態)となる。従って、この場合はステップＳ１０において、前記制御手段５８は警報手段６２を作動し、脱落部品有りを報知すると共にタイマ６６をリセットしてから駆動モータ２６を停止して処理を終了する。
【００３５】
ここで、図８のステップＳ１１が否定(ＮＯ)された場合は、図９のステップＳ１６に移行する。すなわち、ステップＳ２およびステップＳ１１が何れも否定(ＮＯ)された状態は、制御手段５８は前記移動部材２４が第１検出位置と第２検出位置との間に位置していると判断し、ステップＳ１６〜ステップＳ１８,Ｓ２５において、前記ステップＳ３〜ステップＳ５,Ｓ８と同じ処理を行う。そして、ステップＳ１８において一対の第２検出スイッチ３０,３０が何れも検出状態(ＯＮ状態)であるか否かを判定し、肯定(ＹＥＳ)の場合は、ステップＳ１９でタイマ６６をリセットしてからステップＳ２０で駆動モータ２６を逆転方向に駆動すると共に、ステップＳ２１でタイマ６６の計測を開始する。なお、移動部材２４が第１検出位置と第２検出位置との間に位置している状態では、該移動部材２４の正確な位置は判断し得ないものの、当該移動部材２４の位置(原点位置)から第２検出位置に向けて移動部材２４の移動を開始してから第２検出位置に到達するまでに要する時間は、前記第１設定時間よりは短かいので、落下物受容器２２内における第２内壁３６ａと移動部材２４との間の領域に部品１８が受容されていない状態(正常な状態)であれば、該第１設定時間が経過する前に第２検出スイッチ３０,３０が検出状態となって、脱落部品の無しを検出することができる。
【００３６】
次に、ステップＳ２２で、一対の第１検出スイッチ２８,２８が何れも検出状態(ＯＮ状態)であるか否かを判定部６４で判定する。そして、ステップＳ２２が肯定(ＹＥＳ)の場合は、ステップＳ２３でタイマ６６をリセットしてから駆動モータ２６を停止(ステップＳ２４)して処理を終了する。すなわち、ステップＳ１８およびステップＳ２２が何れも肯定(ＹＥＳ)であれば、移動部材２４は第１検出位置および第２検出位置に適正な姿勢で位置したものであり、前記判定部６４は落下物受容器２２に部品１８が受容されていないと判定する。
【００３７】
これに対し、一対の第２検出スイッチ３０,３０が検出状態とならないまま第１設定時間が経過した場合(ステップＳ２５が否定)および一対の第１検出スイッチ２８,２８が検出状態とならないまま第２設定時間が経過した場合(ステップＳ２８が否定)は、前記判定部６４は落下物受容器２２に部品１８が受容されていると判定する(ステップＳ２６)。すなわち、落下物受容器２２に部品１８が受容されている場合は、第１検出位置と第２検出位置との間を移動する移動部材２４により部品１８が対応する第１内壁３４ａまたは第２内壁３６ａに寄せられ、該内壁３４ａ,３６ａと移動部材２４との間に部品１８が挟まれることで、該移動部材２４が第１検出位置または第２検出位置まで移動することなく設定時間が経過することとなる。従って、この場合はステップＳ２７において、前記制御手段５８は警報手段６２を作動し、脱落部品有りを報知すると共にタイマ６６をリセットしてから駆動モータ２６を停止して処理を終了する。
【００３８】
前述したように、落下物受容器２２の内部で移動部材２４を往復移動するだけの簡単な構成によって、組立てステーションＳの主要構成部材１６から部品１８が脱落したことを検出することができる。また、移動部材２４の長手方向に離間して一対の第１検出スイッチ２８,２８および一対の第２検出スイッチ３０,３０を配設したので、落下物受容器２２に落下した部品１８の位置に起因して移動部材２４が移動方向に対して長手方向で傾いた姿勢となった場合であっても、脱落部品有りを確実に検出することができる。すなわち、落下物受容器２２内の左右何れかの側に部品１８が偏って位置している場合は、移動部材２４における部品１８に当接した側に対して他方の側が移動方向に傾くことで、一方の第１検出スイッチ２８または第２検出スイッチ３０のみが検出状態となることが考えられるが、両第１検出スイッチ２８,２８または両第２検出スイッチ３０,３０の何れもが検出状態とならない限り、脱落部品無しとは判定しないよう構成しているので、誤検出の発生を防止し得る。更に、実施例では、組立てステーションＳから主要構成部材１６が搬出されたことを条件に脱落部品検出処理を実行し、次の主要構成部材１６が当該組立てステーションＳに到来する前に脱落部品の有無を判定するよう構成したので、当該脱落部品検出処理で検出された部品１８が、どの主要構成部材１６から脱落したものであるのかを特定することができる。
【００３９】
ここで、脱落部品検出装置１２では、脱落部品検出処理を開始する際には、移動部材２４は基本的には第１検出位置または第２検出位置の何れかに停止している状態となるよう設定されるが、前回の脱落部品検出処理に際して部品１８を検出したことに起因して第１検出位置と第２検出位置との間で停止している状態となることが考えられる。この場合に、本実施例では、脱落部品検出処理において移動部材２４が第１検出スイッチ２８および第２検出スイッチ３０の何れでも検出されていない場合は、移動部材２４を第１検出位置と第２検出位置との間を往復移動するよう構成したので、主要構成部材１６から脱落した部品１８が落下物受容器２２に受け入れられていれば、該部品１８を確実に検出することができる。
【００４０】
前記移動部材２４が第１検出位置と第２検出位置との間に位置している状態(図５参照)では、前記組立てステーションＳの主要構成部材１６から脱落した部品１８が、移動部材２４上に落下する場合がある。実施例では、移動部材２４の上部を構成する支持部４０の上面を、図５等に示す如く、上側に凸となる円弧状に形成してあるので、主要構成部材１６から脱落した部品１８が支持部４０の上面に落下してきた場合であっても、該支持部４０の上面に部品１８が載ったままの状態となるのは防止され、該部品１８を確実に落下物受容器２２の内底面上に落下させることができる。
【００４１】
(変更例)
本願は前述した実施例の構成に限定されるものではなく、その他の構成を適宜に採用することができる。
(1) 実施例では、第１検出スイッチおよび第２検出スイッチを一対ずつ設けた構成としたが、各第１検出スイッチおよび第２検出スイッチは１つずつであってもよい。
(2) 実施例では、第１検出スイッチおよび第２検出スイッチで台車部を検出するよう構成したが、移動部材自体や、該移動部材と一体的に移動する支持部や脚部等を検出する構成を採用し得る。
(3) 実施例では、移動部材の第１検出位置および第２検出位置を検出する検出手段として接触式のリミットスイッチを挙げたが、光電センサや磁気センサ等の非接式のセンサやスイッチを採用することができる。
(4) 実施例では、駆動モータの動力を移動部材に伝達する作動機構として、無端ベルトとプーリとを組み合わせた機構を採用したが、作動機構としては、無端チェンとスプロケットとを組み合わせた機構等、索体と回転体との組み合わせによって駆動モータの回転運動を直線運動に変換する機構を採用し得る。また、駆動モータの回転運動をリンク機構等の公知の機構を介して直線運動に変換する機構を採用することができる。更に、駆動手段として流体圧シリンダを採用し、該流体圧シリンダによって移動部材を直接、またはリンク機構等の作動機構を介して関接的に往復移動する構成を採用し得る。
(5) 実施例では、脱落部品検出処理に際し、移動部材が原点位置から検出位置(第１検出位置,第２検出位置)まで移動しているべき条件として、移動部材が移動を開始したときからの時間(設定時間)を用いる場合で説明したが、これに限られるものではない。例えば、駆動モータとしてパルスモータ(ステッピングモータ)を採用し、該パルスモータに出力するパルス数をカウンタでカウントし、パルスモータによって移動部材を第１検出位置と第２検出位置との間を移動するのに対応するパルス数をカウンタがカウントしたときに、第１検出スイッチまたは第２検出スイッチが検出状態となったか否かによって脱落部品有りを判定するようにしてもよい。すなわち、カウンタでカウントされるパルス数を前記条件とすることができる。
(6) 実施例では、脱落部品の有無を、設定時間と検出スイッチの状態とによって判定するようにしたが、例えば、駆動モータに加わる負荷を検出可能な負荷検出手段を用い、該負荷検出手段が予め設定された負荷(移動部材の移動が規制された状態で発生する負荷)が検出された際に、対応する検出スイッチが検出状態となっていない場合には、脱落部品有りと判定するようにしてもよい。すなわち、移動部材が第１検出位置または第２検出位置に正常に位置した際に、該移動部材の移動が検出スイッチや内壁によって規制されることで駆動モータに加わる負荷が増大するので、この負荷を前記移動部材が検出位置まで移動しているべき条件として、該負荷が増大した際に検出スイッチが検出状態であれば部品無しと判定する。これに対し、移動部材と対応する第１内壁または第２内壁との間に部品が挟まれた状態では、検出スイッチが第１検出位置または第２検出位置を検出する前に移動部材の移動が部品によって規制されることで駆動モータに加わる負荷が増大するので、この負荷の変化と検出スイッチの状態とによって脱落部品有りの判定を行うようにすればよい。すなわち、移動部材の移動状況に関連して変化する時間、パルス数、負荷等のパラメータを設定し、該パラメータを監視(検出、測定、計測等の意味を含む)する監視手段(タイマ、カウンタ、負荷検出手段等)を備え、該監視手段で監視するパラメータと検出スイッチの検出・非検出の状態に基づいて部品の有無を判定部(判定手段)で判定するよう構成すればよい。
(7) 実施例では、組立てステーションから主要構成部材が搬出されることを条件として脱落部品検出装置における移動部材の移動を開始して脱落部品検出処理を実行するよう構成したが、搬送コンベヤで搬送される主要構成部材の動きとは関係なく移動部材を第１検出位置と第２検出位置との間を常に往復移動させるよう構成したものであってもよい。
(8) 実施例では、移動部材を第１検出位置から第２検出位置へ移動する場合と、移動部材を第２検出位置から第１検出位置へ移動する場合との両方で脱落部品の有無を検出するよう構成したが、何れか一方の検出位置を原点位置に設定し、常に原点位置から他方の検出位置に移動する場合にのみ脱落部品の有無を検出する構成を採用し得る。すなわち、原点位置に位置する移動部材を検出位置まで移動して脱落部品の有無を検出する動作を行なった後は、移動部材を原点位置に戻して次の検出処理を待機するよう構成してもよく、この構成によれば検出手段を低減し得ると共に構成を簡略化し得る。
(9) 実施例の脱落部品検出処理におけるフローでは、検出スイッチの検出・非検出の状態を確認してから設定時間(移動部材が検出位置まで移動しているべく条件)が経過したか否かを判定するようにしたが、設定時間が経過した際に、検出スイッチの検出・非検出の状態を確認するようにしてもよい。
(10) 図９のステップＳ１６から始まるフローを、脱落部品検出装置の電源投入時や部品有りと判定した後のリセット処理の初期動作として設定し、移動部材を第１検出位置に位置させるようにしてもよい。
(11) 実施例では、判定部が部品有りと判定した場合に制御手段が警報手段を作動するよう構成したが、更に遊技機製造ライン全体を制御する制御装置に対して異常信号を出力して、ラインに設けた排出部から部品が脱落した主要構成部材をライン外に排出するようにしたり、またはラインに設けた目印付与手段によって部品が脱落した主要構成部材に対して目印を付すようにしてもよい。
(12) 実施例では、落下物受容器を矩形箱状とし、移動部材を対向する一方の壁と他方の壁との間を往復移動する構成で説明したが、落下物受容器の形状や移動部材の移動形態はこれに限られるものではない。例えば、落下物受容器を円形箱状とし、該落下物受容器の半径と略同じ長さに設定した移動部材を落下物受容器の中央部を中心として回動するよう構成すると共に、落下物受容器内において中央部から半径方向に延在する規制壁を内底面から突設し、移動部材を規制壁における周方向の一方の面(原点位置)と他方の面との間を回動させる構成を採用し得る。すなわち、移動部材が落下物受容器の内部全体を移動可能で、該落下物受容器に受容された部品を壁に寄せることが可能なものであればよい。
(13) 実施例では、移動部材の上面を円弧状に形成することで、該移動部材の上面に部品が載置され難くしたが、移動部材の上部を断面三角形等、上方に突出する尖った形状としたものであってもよい。
(14) 実施例では、組立てステーションの下方に脱落部品検出装置を配置した場合で説明したが、遊技機製造ラインの下方であればよく、該製造ラインにおける組立てステーションと組立てステーションとの間の主要構成部材が搬送コンベヤで搬送される領域の下方に脱落部品検出装置を配置した構成であってもよい。
(15) 実施例では、搬送コンベヤによって主要構成部材を起立した状態で搬送する場合で説明したが、主要構成部材を寝かせた状態で搬送するものであってもよい。
【符号の説明】
【００４２】
１０  遊技機製造ライン
１６  主要構成部材(構成部材)
１８  部品
２２  落下物受容器
２４  移動部材
２６  駆動モータ(駆動手段)
２８  第１検出スイッチ(検出手段)
３０  第２検出スイッチ(検出手段)
３４ａ  第１内壁(規制壁)
３６ａ  第２内壁(規制壁)
６４  判定部(判定手段)
Ｓ  組立てステーション
【図１】
0005748707.tif 000002
【図２】
0005748707.tif 000003
【図３】
0005748707.tif 000004
【図４】
0005748707.tif 000005
【図５】
0005748707.tif 000006
【図６】
0005748707.tif 000007
【図７】
0005748707.tif 000008
【図８】
0005748707.tif 000009
【図９】
0005748707.tif 000010